(57)【要約】【課題】防火性能を向上させること。【解決手段】框体は、ホロー部５１，７１を有する形材でそれぞれ構成された縦框材７及び横框材５を備える。横框材５は、長手方向の端部が縦框材７に当接した状態で当該縦框材７に対して取り付けられる。横框材５におけるホロー部５１を構成する室内側壁部５１ｃには、ホロー部５１内から室内側に窪んで縦框材７に対して室内側に突出し、横框材５の長手方向に沿って当該横框材５の端部まで延在した凹条部５６が設けられている。【選択図】図５
2018062826.tif 000002
【特許請求の範囲】
【請求項１】
ホロー部を有する形材でそれぞれ構成された縦框材及び横框材を備えた框体であって、
前記縦框材及び前記横框材のうち一方の框材は、
長手方向の端部が他方の框材に当接した状態で当該他方の框材に対して取り付けられ、
前記一方の框材における前記ホロー部を構成する室内側壁部には、
前記ホロー部内から室内側に窪んで前記他方の框材に対して室内側に突出し、前記一方の框材の長手方向に沿って当該一方の框材の端部まで延在した凹条部が設けられている
ことを特徴とする框体。
【請求項２】
ホロー部を有する形材でそれぞれ構成された縦框材及び横框材を備えた框体であって、
前記縦框材及び前記横框材のうち一方の框材は、
長手方向の端部が他方の框材に当接した状態で当該他方の框材に対して取り付けられ、
前記一方の框材における前記ホロー部を構成する室内側壁部には、
見込み方向に貫通した開口が形成されている
ことを特徴とする框体。
【請求項３】
前記一方の框材は、
金属材料で構成され、
当該框体は、
前記一方の框材の室内側を覆う樹脂製框材をさらに備える
ことを特徴とする請求項１または２に記載の框体。
【請求項４】
前記一方の框材は、
金属材料で構成され、
当該框体は、
前記一方の框材の室内側を覆う樹脂製框材をさらに備え、
前記一方の框材及び前記樹脂製框材は、
互いに係合して見込み方向に対向した構成を有し、
前記凹条部は、
前記一方の框材と前記樹脂製框材との係合構造の一部を構成する
ことを特徴とする請求項１に記載の框体。
【請求項５】
前記一方の框材は、
前記横框材である
ことを特徴とする請求項１〜４のいずれか一つに記載の框体。
【請求項６】
請求項１〜５のいずれか一つに記載の框体を備え、建物の開口部に設置された枠体に対して前記開口部を開閉可能に取り付けられる
ことを特徴とする障子。
【発明の詳細な説明】
【技術分野】
【０００１】
本発明は、ホロー部を有する形材でそれぞれ構成された縦框材及び横框材を備えた框体、及び当該框体を備えた障子に関する。
【背景技術】
【０００２】
従来、引違い窓等の建具に用いられる障子として、下框に設けられた戸車の転動により、スライド移動可能とする障子が知られている（例えば、特許文献１，２参照）。
特許文献１，２において、下框は、ホロー部を有する形材で構成されている。また、戸車は、下框のホロー部内に設けられるとともに、当該ホロー部を構成する下方の壁部に設けられた連通孔を介して一部が下方に突出する。そして、戸車は、下枠に設けられたレールに当接し、当該レール上で転動することにより、障子をスライド移動させる。
ところで、下枠に設けられたレールを金属材料で構成した場合には、金属同士の接触を避けるため、戸車を樹脂材料で構成することが一般的である。そして、このように戸車を樹脂材料で構成した場合には、火災が発生すると、当該火災時の熱により戸車から可燃性のガスが発生する。
ここで、特許文献１，２において、下框のホロー部における両端部の各小口は、戸先框及び召合せ框にて閉塞されている。また、下框には、火災時の熱により膨張して、当該下框とレールとの隙間を閉塞する（上述した連通孔を閉塞する）熱膨張性部材（加熱発泡材）が設けられている。すなわち、特許文献１，２では、下框のホロー部を密閉空間として戸車から発生する可燃性のガスを当該ホロー部内に封じ込め、当該ガスに引火することを防止する構造を採用している。
【先行技術文献】
【特許文献】
【０００３】
【特許文献１】特許第５７４６６０８号公報
【特許文献２】特許第５７７８８４８号公報
【発明の概要】
【発明が解決しようとする課題】
【０００４】
しかしながら、特許文献１，２に記載の構造では、予期せぬ挙動により戸車から発生した可燃性のガスの封じ込みが弱くなった場合には、当該ガスが下框のホロー部内から漏れ出てしまう虞がある。特に、戸車から発生した可燃性のガスを下框のホロー部内に封じ込めた場合には、当該ホロー部内での当該ガスの濃度が高くなるため、漏れ出たガスに引火し易い。このため、防火性能を向上させることができる技術が要望されている。
【０００５】
本発明は、上記実情に鑑みて、防火性能を向上させることができる框体及び障子を提供することを目的とする。
【課題を解決するための手段】
【０００６】
上記目的を達成するため、本発明に係る框体は、ホロー部を有する形材でそれぞれ構成された縦框材及び横框材を備えた框体であって、前記縦框材及び前記横框材のうち一方の框材は、長手方向の端部が他方の框材に当接した状態で当該他方の框材に対して取り付けられ、前記一方の框材における前記ホロー部を構成する室内側壁部には、前記ホロー部内から室内側に窪んで前記他方の框材に対して室内側に突出し、前記一方の框材の長手方向に沿って当該一方の框材の端部まで延在した凹条部が設けられていることを特徴とする。
本発明では、一方の框材は、長手方向の端部が他方の框材に当接した状態で当該他方の框材に対して取り付けられる。すなわち、一方の框材のホロー部内は、他方の部材により密閉空間になり得る。ここで、一方の框材における室内側壁部には、上述した凹条部が設けられている。すなわち、一方の框材のホロー部内は、凹条部における端部の小口（以下、第１ガス抜き口と記載）により密閉空間になっていない。そして、火災が発生した場合には、当該火災時の熱により一方の框材のホロー部内に配置された樹脂部材から発生した可燃性のガスは、常時、第１ガス抜き口から室内側に排出されることとなる。特に、第１ガス抜き口によりホロー部内を密閉空間としていないため、室内側に排出される当該ガスの濃度は比較的に低いものである。このため、例えば、室外側で火災が発生した場合には、室内側に排出される当該ガスに引火することがなく、室内側への出火を防止することができる。また、室内側で火災が発生した場合には、室内側に排出される当該ガスの濃度が比較的に低いため、当該ガスを起因として火災が広がることがない。
したがって、本発明に係る框体によれば、防火性能を向上させることができる、という効果を奏する。
特に、凹条部における端部の小口からガスを排出する構成としているため、第１ガス抜き口を視認し難い構造とし、框体の外観品質を良好に維持することができる。
【０００７】
また、本発明に係る框体は、ホロー部を有する形材でそれぞれ構成された縦框材及び横框材を備えた框体であって、前記縦框材及び前記横框材のうち一方の框材は、長手方向の端部が他方の框材に当接した状態で当該他方の框材に対して取り付けられ、前記一方の框材における前記ホロー部を構成する室内側壁部には、見込み方向に貫通した開口が形成されていることを特徴とする。
本発明では、一方の框材は、長手方向の端部が他方の框材に当接した状態で当該他方の框材に対して取り付けられる。すなわち、一方の框材のホロー部内は、他方の部材により密閉空間になり得る。ここで、一方の框材における室内側壁部には、上述した開口が設けられている。すなわち、一方の框材のホロー部内は、開口（以下、第２ガス抜き口と記載）により密閉空間になっていない。そして、火災が発生した場合には、当該火災時の熱により一方の框材のホロー部内に配置された樹脂部材から発生した可燃性のガスは、常時、第２ガス抜き口から室内側に排出されることとなる。特に、第２ガス抜き口によりホロー部内を密閉空間としていないため、室内側に排出される当該ガスの濃度は比較的に低いものである。このため、例えば、室外側で火災が発生した場合には、室内側に排出される当該ガスに引火することがなく、室内側への出火を防止することができる。また、室内側で火災が発生した場合には、室内側に排出される当該ガスの濃度が比較的に低いため、当該ガスを起因として火災が広がることがない。
したがって、本発明に係る框体によれば、防火性能を向上させることができる、という効果を奏する。
特に、室内側側壁部に設けた開口からガスを排出する構成としているため、従来用いていた一方の框材に当該開口を設けるだけで、容易に防火性能を向上させることができる。
【０００８】
また、本発明は、上述した框材において、前記一方の框材は、金属材料で構成され、当該框体は、前記一方の框材の室内側を覆う樹脂製框材をさらに備えることを特徴とする。
本発明では、框体は、上述した樹脂製框材をさらに備える。このため、樹脂製框材により第１ガス抜き口または第２ガス抜き口を室内側から覆って当該第１ガス抜き口または当該第２ガス抜き口を視認することができない構造とし、框体の外観品質を良好に維持することができる。
【０００９】
また、本発明は、上述した框材において、前記一方の框材は、金属材料で構成され、当該框体は、前記一方の框材の室内側を覆う樹脂製框材をさらに備え、前記一方の框材及び前記樹脂製框材は、互いに係合して見込み方向に対向した構成を有し、前記凹条部は、前記一方の框材と前記樹脂製框材との係合構造の一部を構成することを特徴とする。
本発明では、凹条部は、樹脂製框材と係合する機能を有する。このため、凹条部とは別に、樹脂製框材と係合する係合部を一方の框材に形成した構成と比較して、当該一方の框材の構造を簡素化することができる。
【００１０】
また、本発明は、上述した框材において、前記一方の框材は、前記横框材であることを特徴とする。
本発明では、縦框材に対してホロー部内に戸車等の樹脂部材が多く配置される横框材に第１ガス抜き口または第２ガス抜き口を設けることで、防火性能を向上させることができるという効果を好適に実現することができる。
【００１１】
また、本発明に係る障子は、上述した框体を備え、建物の開口部に設置された枠体に対して前記開口部を開閉可能に取り付けられることを特徴とする。
本発明に係る障子は、上述した框体を備えるので、上述した框体と同様の作用及び効果を奏する。
【発明の効果】
【００１２】
本発明に係る框体及び障子によれば、防火性能を向上させることができる、という効果を奏する。
【図面の簡単な説明】
【００１３】
【図１】図１は、本発明の実施の形態１に係る建具を室内側から見た図である。
【図２】図２は、図１に示した建具の縦断面図である。
【図３】図３は、図２に示した下框を拡大した図である。
【図４】図４は、図３に示した第１ガス抜き口と戸先框との位置関係を説明する図である。
【図５】図５は、図３に示した第１ガス抜き口と戸先框との位置関係を説明する図である。
【図６】図６は、図４に対応した図であって、本発明の実施の形態２に係る第２ガス抜き口を説明する図である。
【図７】図７は、図５に対応した図であって、本発明の実施の形態２に係る第２ガス抜き口を説明する図である。
【発明を実施するための形態】
【００１４】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１５】
（実施の形態１）
〔建具の概略構成〕
図１は、本発明の実施の形態１に係る建具１を室内側から見た図である。図２は、建具１の縦断面図である。
なお、以下で記載する「見込み方向」は、図２の矢印Ａｒで示すように、建具１の奥行きに沿った方向である。見込み方向に沿った平面については、見込み面と称し、見込み方向に直交する平面については、見付け面と称する場合がある。
建具１は、引違い窓で構成され、枠体２と、外障子３と、内障子４とを備える。
枠体２は、上枠２１、下枠２２、図１中、左側に位置する左縦枠２３、及び図１中、右側に位置する右縦枠２４を四周枠組みすることによって構成され、建物の開口部Ｏｐの縁部に沿うように取り付けられる。
これら各枠部材２１〜２４は、合成樹脂製またはアルミニウム等の金属製の押し出し形材であり、全長に亘って略一様な断面形状を有する。
【００１６】
外障子３は、開口部Ｏｐ内に位置するように枠体２に対して取り付けられている。また、外障子３は、下枠２２に設けられたレール２２１上を戸車３ａが転動することで図１中、左右方向に開閉移動可能とする。この外障子３は、面材３１と、框体３２とを備える。
面材３１は、スペーサ３１１を介して２枚のガラス材３１２，３１３を互いに間隔を隔てて対面配置した２層の複層ガラスで構成されている。
框体３２は、上框３３、下框３４、戸先框３５、及び召合せ框（図示略）を縦勝ちで框組みすることにより構成され、内部で面材３１を保持する。
ここで、外障子３は、本発明に係る「障子」に相当する。そして、本実施の形態１では、第１ガス抜き口を下框３４に設けている。なお、下框３４の詳細な構成については後述する。
【００１７】
内障子４は、開口部Ｏｐ内において、外障子３に対して室内側に位置するように枠体２に対して取り付けられている。また、内障子４は、下枠２２に設けられたレール２２２上を戸車４ａが転動することで図１中、左右方向に開閉移動可能とする。この内障子４は、外障子３における面材３１（スペーサ３１１及び２枚のガラス材３１２，３１３を含む）及び框体３２（上框３３、下框３４、戸先框３５、及び召合せ框（図示略）を含む）とそれぞれ同様の面材４１（スペーサ４１１及び２枚のガラス材４１２，４１３を含む）及び框体４２（上框４３、下框４４、戸先框４５、及び召合せ框４６を含む）を備える。
ここで、内障子４は、本発明に係る「障子」に相当する。そして、本実施の形態１では、第１ガス抜き口を下框４４に設けている。なお、下框４４の詳細な構成については後述する。
【００１８】
上述した外障子３及び内障子４において、戸先框３５が左縦枠２３に当接するとともに、戸先框４５が右縦枠２４に当接した場合には、外障子３の召合せ框（図示略）と内障子４の召合せ框４６とが互いに係合する。そして、開口部Ｏｐは、外障子３及び内障子４にて閉塞される。この状態では、外障子３の召合せ框（図示略）と内障子４の召合せ框４６との間は、クレセントＣＲ（図１）によってロック可能である。当該クレセントＣＲによりロックすることにより、外障子３及び内障子４は、開口部Ｏｐを閉塞した状態に保持される。
【００１９】
〔下框の構成〕
外障子３における下框３４と内障子４における下框４４は、同一の構成を有する。このため、以下では、外障子３における下框３４の構成についてのみ説明する。そして、内障子４における下框４４については、外障子３における下框３４と同様の構成には同一の符号を付し、その詳細な説明は省略する。
図３は、図２に示した下框３４を拡大した図である。
下框３４は、金属製框材５と、樹脂製框材６とを備え、これら各框材５，６が互いに係合して見込み方向に対向した構成を有する。
ここで、金属製框材５は、本発明に係る「横框材」及び「一方の框材」に相当する。
【００２０】
金属製框材５は、アルミニウム等の金属製の押し出し形材であり、全長に亘って略一様な断面形状を有する。この金属製框材５は、ホロー部５１と、内周側ヒレ部５２と、一対の外周側ヒレ部５３とを備える。
ホロー部５１は、金属製框材５の長手方向に沿って延在する角筒形状を有する。より具体的に、ホロー部５１は、上方側の見込み面を構成する内周側壁部５１ａと、下方側の見込み面を構成する外周側壁部５１ｂと、室内側の見付け面を構成する室内側壁部５１ｃと、室外側の見付け面を構成する室外側壁部５１ｄとを備える。
内周側壁部５１ａは、室内側に延長され、室内側の端部が室内側壁部５１ｃよりも室内側に位置する。そして、内周側壁部５１ａの上面には、ビスホール５４と、第１係合受け部５５ａとが形成されている。
【００２１】
ビスホール５４は、下框３４（金属製框材５）における長手方向の両端部を戸先框３５や召合せ框（図示略）に当接した状態（縦勝ちの状態）で戸先框３５や召合せ框（図示略）に対して下框３４をビスにより固定するための部分である。
第１係合受け部５５ａは、ビスホール５４に対して室内側に設けられ、金属製框材５と樹脂製框材６との係合構造の一部を構成する部分である。この第１係合受け部５５ａは、突出部５５１と、鉤状部５５２とを備える。
突出部５５１は、内周側壁部５１ａの上面から上方側に突出した部分である。
鉤状部５５２は、内周側壁部５１ａにおける室内側の端部から上方側に屈曲して延在し、先端が室外側に屈曲した鉤状に形成されている。
【００２２】
室内側壁部５１ｃには、ホロー部５１内から室内側に窪んで他の部位に対して室内側に突出し、金属製框材５の長手方向に沿って延在する凹条部５６が形成されている。そして、凹条部５６において、長手方向の両端部の各小口は、第１ガス抜き口５６１として機能する。
この凹条部５６において、上方側の壁部における室内側の端部には、上方側に突出し、先端が室外側に屈曲した鉤状の第２係合受け部５５ｂが形成されている。この第２係合受け部５５ｂは、金属製框材５と樹脂製框材６との係合構造の一部を構成する部分である。
【００２３】
以上説明したホロー部５１内において、長手方向の両端側には、樹脂製の戸車３ａがそれぞれ回転可能に設置されている。より具体的に、外周側壁部５１ｂにおいて、長手方向の両端側には、ホロー部５１内外を連通する連通孔（図示略）がそれぞれ形成されている。そして、各戸車３ａは、ホロー部５１内にそれぞれ設置されるとともに、一部が当該各連通孔を介して下方側にそれぞれ突出する。
また、室外側壁部５１ｄの内面において、各戸車３ａにそれぞれ対向する位置には、加熱されることで膨張する熱膨張性部材（加熱発泡材）５７ａがそれぞれ設けられている。
【００２４】
内周側ヒレ部５２は、内周側壁部５１ａにおける室外側の端部から上方側に向けて延在した部分である。
一対の外周側ヒレ部５３は、外周側壁部５１ｂにおける室内側及び室外側の端部から下方側に向けてそれぞれ延在した部分である。
そして、一対の外周側ヒレ部５３と外周側壁部５１ｂとで形成されるＵ字状の外周側溝部５８ａには、レール２２１の先端側が挿入される。
また、一対の外周側ヒレ部５３のうち、室内側に位置する外周側ヒレ部５３における室外側の面には、金属製框材５の全長に亘って、加熱されることで膨張する熱膨張性部材５７ｂが設けられている。
さらに、室内側に位置する外周側ヒレ部５３における室内側の面には、室内側に向けて突出し、先端が下方側に屈曲した鉤状の第３係合受け部５５ｃが形成されている。この第３係合受け部５５ｃは、金属製框材５と樹脂製框材６の係合構造の一部を構成する部分である。
【００２５】
樹脂製框材６は、合成樹脂製の押し出し形材であり、全長に亘って略一様な断面形状を有する。この樹脂製框材６は、板体６１と第１〜第３係合部６２ａ〜６２ｃとを備える。
板体６１は、樹脂製框材６の長手方向に沿って延在する略平板形状を有する。この板体６１は、金属製框材５の全長と略同一の全長を有するとともに、金属製框材５の幅寸法（図３中、上下方向の長さ寸法）と略同一の幅寸法を有する。
第１係合部６２ａは、板体６１における室外側の面から室外側に突出し、先端が下方側に屈曲した鉤状に形成されている。
第２係合部６２ｂは、板体６１における室外側の面において、第１係合部６２ａの下方に位置し、当該第１係合部６２ａと同様に鉤状に形成されている。
第３係合部６２ｃは、板体６１における下方側の端部から室外側に屈曲して延在し、先端が上方側に屈曲した鉤状に形成されている。
【００２６】
以上説明した樹脂製框材６は、第３係合受け部５５ｃに第３係合部６２ｃを引っ掛け（係合し）、第１係合受け部５５ａ（突出部５５１と鉤状部５５２との間）に第１係合部６２ａを引っ掛け（係合し）、さらに、第２係合受け部５５ｂに第２係合部６２ｂを引っ掛ける（係合する）ことにより、金属製框材５に取り付けられる。この状態では、板体６１は、金属製框材５の室内側全体を覆う。また、板体６１における上端側の部位６１１は、内周側ヒレ部５２と見込み方向に対向する。以下、説明の便宜上、上端側の部位６１１を対向ヒレ部６１１と記載する。
そして、面材３１の下端部は、内周側ヒレ部５２と対向ヒレ部６１１と内周側壁部５１ａとで形成されるＵ字状の内周側溝部５８ｂに配置された状態で保持される。
【００２７】
〔第１ガス抜き口と戸先框との位置関係〕
次に、第１ガス抜き口５６１と戸先框３５との位置関係について説明する。
図４は、第１ガス抜き口５６１と戸先框３５との位置関係を説明する図である。具体的に、図４は、下框３４と戸先框３５との接合部分を室内側から見た図である。図５は、図４に示した状態から樹脂製框材６，８をそれぞれ取り外した状態を示す図である。
先ず、第１ガス抜き口５６１と戸先框３５との位置関係について説明する前に、戸先框３５の構成について説明する。
戸先框３５は、下框３４と同様に、アルミニウム等の押し出し形材である金属製框材７と、合成樹脂等の押し出し形材である樹脂製框材８とを備え、これら各框材７，８が互いに係合して見込み方向に対向した構成を有する。
ここで、金属製框材７は、本発明に係る「縦框材」及び「他方の框材」に相当する。
【００２８】
金属製框材７は、金属製框材５におけるホロー部５１及び内周側ヒレ部５２と略同様のホロー部７１及び内周側ヒレ部７２を備える。なお、ホロー部７１には、凹条部５６に対応した凹条溝が形成されていない。
樹脂製框材８は、樹脂製框材６における対向ヒレ部６１１と略同様の対向ヒレ部８１を備える。
そして、面材３１における戸先側（図１中、左側）の端部は、内周側ヒレ部７２と対向ヒレ部８１とホロー部７１における召合せ側（図１中、右側）の見込み面を構成する内周側壁部７１ａとで形成されるＵ字状の内周側溝部７１ｂに配置された状態で保持される。
なお、外障子３の召合せ框（図示略）、内障子４の戸先框４５及び召合せ框４６は、上述した戸先框３５と略同様の構成を有する。
【００２９】
次に、第１ガス抜き口５６１と戸先框３５との位置関係について説明する。
下框３４は、戸先側の端部が内周側溝部７１ｂに配置された状態で、戸先框３５に取り付けられる。すなわち、樹脂製框材６，８が金属製框材５，７にそれぞれ取り付けられた状態（図４）では、ホロー部５１における戸先側の小口（第１ガス抜き口５６１を含む）は、内周側溝部７１ｂにて閉塞される。
また、凹条部５６（第１ガス抜き口５６１）は、金属製框材７に対して室内側に突出するように設けられている（図５）。すなわち、ホロー部５１における戸先側の小口は、第１ガス抜き口５６１以外の領域ＣＡ（図３で示した一点鎖線の領域）のみが内周側壁部７１ａにて閉塞される。このため、金属製框材５，７から樹脂製框材６，８がそれぞれ取り外された状態では、ホロー部５１内は、第１ガス抜き口５６１を介して、ホロー部５１外の室内側の空間に連通する。
なお、召合せ側の第１ガス抜き口５６１と召合せ框（図示略）との位置関係も、上述した戸先側の第１ガス抜き口５６１と戸先框３５との位置関係と同様である。
【００３０】
以上説明した本実施の形態１に係る框体３２，４２では、下框３４，４４は、縦勝ちの状態で戸先框３５（４５）及び召合せ框４６に対して取り付けられる。また、火災が発生した場合には、当該火災時の熱により熱膨張性部材５７ｂが膨張し、レール２２１，２２２と下框３４，４４との隙間が閉塞される（戸車３ａ，４ａの一部を突出させる連通孔（図示略）が閉塞される）。すなわち、ホロー部５１内は、密閉空間になり得る。ここで、下框３４，４４を構成する金属製框材５の室内側壁部５１ｃには、凹条部５６が設けられている。すなわち、ホロー部５１内は、凹条部５６における端部の小口（第１ガス抜き口５６１）により密閉空間になっていない。そして、火災が発生し、樹脂製框材６，８が焼失した場合（図５）には、当該火災時の熱によりホロー部５１内に配置された戸車３ａ，４ａ等の樹脂部材から発生した可燃性のガスは、常時、第１ガス抜き口５６１から室内側に排出されることとなる。なお、可燃性のガスを発生する樹脂部材としては、戸車３ａ，４ａの他、ＡＴ材（図示略）の構成部材等が挙げられる。特に、第１ガス抜き口５６１によりホロー部５１内を密閉空間としていないため、室内側に排出される当該ガスの濃度は比較的に低いものである。このため、例えば、室外側で火災が発生した場合には、室内側に排出される当該ガスに引火することがなく、室内側への出火を防止することができる。また、室内側で火災が発生した場合には、室内側に排出される当該ガスの濃度が比較的に低いため、当該ガスを起因として火災が広がることがない。
したがって、本実施の形態１に係る框体３２，４２によれば、防火性能を向上させることができる、という効果を奏する。
特に、凹条部５６において、長手方向の両端部の各小口からガスを排出する構成としている。また、金属製框材５の室内側には、樹脂製框材６が取り付けられる。このため、樹脂製框材６により凹条部５６を室内側から覆って当該凹条部５６を視認することができない構造とし、框体３２，４２の外観品質を良好に維持することができる。
【００３１】
また、本実施の形態１に係る框体３２，４２では、凹条部５６は、樹脂製框材６と係合する機能を有する。このため、凹条部５６とは別に、樹脂製框材６と係合する係合部を金属製框材５に形成した構成と比較して、金属製框材５の構造を簡素化することができる。
【００３２】
また、本実施の形態１に係る框体３２，４２では、戸先框３５，４５や召合せ框４６に対してホロー部５１内に戸車３ａ，４ａ等の樹脂部材が多く配置される下框３４，４４に第１ガス抜き口５６１を設けている。このため、防火性能を向上させることができるという効果を好適に実現することができる。
【００３３】
（実施の形態２）
次に、本発明の実施の形態２について説明する。
以下の説明では、実施の形態１と同様の構成には同一符号を付し、その詳細な説明は省略または簡略化する。
図６及び図７は、本発明の実施の形態２に係る第２ガス抜き口５６１Ａを説明する図である。なお、図６は、図４に対応した図である。また、図７は、図５に対応した図である。
本実施の形態２に係る外障子３Ａ（框体３２Ａ）では、上述した実施の形態１で説明した外障子３（框体３２）に対して、第１ガス抜き口５６１とは異なる第２ガス抜き口５６１Ａが形成された下框３４Ａを採用している。なお、内障子については、図示を省略したが、下框３４Ａと同様の下框を有する。
【００３４】
下框３４Ａは、上述した実施の形態１で説明した下框３４の金属製框材５及び樹脂製框材６と略同様の金属製框材５Ａ及び樹脂製框材６Ａを備える。
本実施の形態２に係る金属製框材５Ａでは、上述した実施の形態１で説明した金属製框材５とは異なり、室内側壁部５１ｃに凹条部５６が形成されていない。
そして、室内側壁部５１ｃにおいて、金属製框材５Ａにおける長手方向の両端部側でホロー部５１内に配置された各戸車３ａに対向する位置には、見込み方向に貫通する開口で構成された第２ガス抜き口５６１Ａがそれぞれ形成されている。
これら第２ガス抜き口５６１Ａは、金属製框材５Ａに対して樹脂製框材６Ａが取り付けられた状態（図６）では、当該樹脂製框材６Ａにて覆われる。また、これら第２ガス抜き口５６１Ａは、金属製框材５Ａに対して樹脂製框材６Ａが取り外された状態（図７）では、外部に露出する。そして、ホロー部５１内は、第２ガス抜き口５６１Ａを介して、ホロー部５１外の室内側の空間に連通する。
【００３５】
以上説明した本実施の形態２に係る框体３２Ａによれば、上述した実施の形態１と同様の効果の他、以下の効果を奏する。
本実施の形態２に係る框体３２Ａでは、室内側壁部５１ｃにおいて、見込み方向に貫通する開口（第２ガス抜き口５６１Ａ）からガスを排出する。このため、従来用いていた金属製框材５Ａに当該開口を設けるだけで、容易に防火性能を向上させることができる。
【００３６】
（その他の実施の形態）
ここまで、本発明を実施するための形態を説明してきたが、本発明は上述した実施の形態１，２によってのみ限定されるべきものではない。
上述した実施の形態１，２では、本発明に係る框体を引違い窓に採用していたが、これに限らない。例えば、３枚以上の障子が左右方向にスライドする引違い方式の窓や両袖片引き窓や引き分け窓、枠体内の領域が縦骨により区分けされ、区分けされた一方の領域がＦＩＸ窓や壁をなす片引き窓、障子が上下方向にスライド移動する上げ下げ窓、障子が見込み方向に開閉するすべり出し窓、１枚の障子をはめ殺したはめ殺し窓、勝手口ドア、玄関ドア、あるいは、カーテンフォール等、各種の建具に本発明に係る框体を採用しても構わない。
【００３７】
上述した実施の形態１，２において、框体３２，３２Ａ，４２として、樹脂製框材６，６Ａ，８を用いない構造（金属製框材５，５Ａ，７のみの構造）を採用しても構わない。
上述した実施の形態１，２では、第１，第２ガス抜き口５６１，５６１Ａを下框３４，３４Ａ，４４に設けていたが、これに限らず、上框３３，４３に設けても構わない。また、戸先框や召合せ框の両端部が上框及び下框にそれぞれ当接した状態（横勝ちの状態）で框組みされる框体の場合には、第１，第２ガス抜き口５６１，５６１Ａを戸先框や召合せ框に設けても構わない。
【符号の説明】
【００３８】
２  枠体、３，３Ａ  外障子（障子）、４  内障子（障子）５，５Ａ  金属製框材（横框材、一方の框材）、６，６Ａ  樹脂製框材、７  金属製框材（縦框材、他方の框材）、３２，３２Ａ，４２  框体、５１，７１  ホロー部、５１ｃ  室内側壁部、５６  凹条部、５６１Ａ  第２ガス抜き口（開口）、Ｏｐ  開口部
【図１】
2018062826.tif 000003
【図２】
2018062826.tif 000004
【図３】
2018062826.tif 000005
【図４】
2018062826.tif 000006
【図５】
2018062826.tif 000007
【図６】
2018062826.tif 000008
【図７】
2018062826.tif 000009